(57)【要約】      （修正有） 【課題】簡易かつコンパクトに構成され、対象物に容易に収納できるとともに、収納後に対象物を取り出したときに対象物に折り目等の損傷が発生しない収納体を提供する。【解決手段】対象物を収納して巻回可能な収納体１０であって、平面状の収納本体部１２と、収納本体部１２に対向するカバー部１４と、収納本体部１２に取り付けられ収納本体部１２とカバー部１４とを巻回した状態を保持するための紐１８と、を有し、対象物が収納本体部１２とカバー部１４との間に挟まれた状態で収納本体部１２とカバー部１４とが同時に巻回され、かつ収納本体部１２とカバー部１４とが巻回された状態を紐１８により保持する。【選択図】図３
0003196368.tif 000002
【実用新案登録請求の範囲】
【請求項１】
対象物を収納して巻回可能な収納体であって、
平面状の収納本体部と、
前記収納本体部に対向するカバー部と、
前記収納本体部に取り付けられ前記収納本体部と前記カバー部とを巻回した状態を保持するための紐と、
を有し、
前記対象物が前記収納本体部と前記カバー部との間に挟まれた状態で前記収納本体部と前記カバー部とが同時に巻回され、かつ
前記収納本体部と前記カバー部とが巻回された状態を前記紐により保持することを特徴とする収納体。
【請求項２】
前記収納本体部と前記カバー部とが対向した状態で、前記カバー部の端部が前記収納本体部の端部よりも内側に位置していることを特徴とする請求項１に記載の収納体。
【請求項３】
前記収納本体部と前記カバー部との間にマチ部を有し、
前記マチ部は、前記収納本体部及び前記カバー部に対して略直交することを特徴とする請求項１又は２に記載の収納体。
【請求項４】
前記収納本体部に、前記紐の端部又はその近傍を挿入して前記紐を仮固定するための穴を設けたことを特徴とする請求項１乃至３のいずれか１項に記載の収納体。
【考案の詳細な説明】
【技術分野】
【０００１】
本考案は、例えば、書類や図面等の対象物を収納し、携帯用に適した収納体に関する。
【背景技術】
【０００２】
従来から、例えば、クリアファイル、クリアホルダ、キャリーケース等のように、書類や図面等の対象物を収納する携帯用に適した収納体が知られている。
【０００３】
また、対象物を小さく、コンパクトにして持ち運びできる収納体として、筒、折り曲げ可能なホルダが知られている。
【先行技術文献】
【特許文献】
【０００４】
【特許文献１】特開２００２−２８４２２４号公報
【考案の概要】
【考案が解決しようとする課題】
【０００５】
ところが、従来の収納体に対象物を収納して一度折り曲げてしまった場合あるいは丸めてしまった場合、対象物に折り目がついてしまい、再び、元の状態になるまで矯正することができない問題がある。
【０００６】
クリアホルダやキャリーケースは、書類や図面等の対象物をそのままの状態で収納するため、対象物よりも大きいことが要求される。また、キャリーケースは、マチ幅や厚みがあり、重くなり、かさばる問題がある。
【０００７】
筒は、頑丈な構造を有しており、重く、かさばる問題がある。
【０００８】
そこで、本考案は、上記問題を解決するためのものであり、簡易かつコンパクトに構成され、対象物に容易に収納できるとともに、収納後に対象物を取り出したときに対象物に折り目等の損傷が発生しない収納体を提供することを目的とする。
【課題を解決するための手段】
【０００９】
本考案は、対象物を収納して巻回可能な収納体であって、平面状の収納本体部と、前記収納本体部に対向するカバー部と、前記収納本体部に取り付けられ前記収納本体部と前記カバー部とを巻回した状態を保持するための紐と、を有し、前記対象物が前記収納本体部と前記カバー部との間に挟まれた状態で前記収納本体部と前記カバー部とが同時に巻回され、かつ前記収納本体部と前記カバー部とが巻回された状態を前記紐により保持することを特徴とする。
【００１０】
この場合、前記収納本体部と前記カバー部とが対向した状態で、前記カバー部の端部が前記収納本体部の端部よりも内側に位置していることが好ましい。
【００１１】
この場合、前記収納本体部と前記カバー部との間にマチ部を有し、前記マチ部は、前記収納本体部及び前記カバー部に対して略直交することが好ましい。
【００１２】
この場合、前記収納本体部に、前記紐の端部又はその近傍を挿入して前記紐を仮固定するための穴を設けたことが好ましい。
【考案の効果】
【００１３】
本考案によれば、簡易かつコンパクトに構成され、対象物に容易に収納できるとともに、収納後に対象物を取り出したときに対象物に折り目等の損傷が発生しない。
【図面の簡単な説明】
【００１４】
【図１】（Ａ）は本考案の第１実施形態の収納体の正面図であり、（Ｂ）はその右側面図であり、（Ｃ）はその平面図であり、（Ｄ）は底面図である。
【図２】（Ａ）は本考案の第１実施形態の収納体を開いた状態の正面図であり、（Ｂ）はその右側面図である。
【図３】本考案の第１実施形態の収納体の斜視図である。
【図４】本考案の第１実施形態の収納体に対象物を収納するときの説明図である。
【図５】本考案の第１実施形態の収納体に対象物を収納し、巻回していくときの説明図である。
【図６】本考案の第１実施形態の収納体を巻き回し、紐を巻回していくときの説明図である。
【図７】本考案の第１実施形態の収納体を逆巻回していくときの説明図である。
【図８】本考案の第１実施形態の収納体の紐の端部を仮固定した状態の斜視図である。
【考案を実施するための形態】
【００１５】
本考案の第１実施形態に係る収納体について、図面を参照して説明する。
【００１６】
図１乃至図３に示すように、収納体１０は、主として、平面上の収納本体部１２と、収納本体部１２に対して略直交して一体形成されたマチ部１６と、マチ部１６に対して略直交するように一体形成され収納本体部１２に対面するカバー部１４と、を有している。
【００１７】
収納本体部１２とマチ部１６とカバー部１４とは、薄手で反発力の高い合成樹脂シート又は合成紙で構成されている。
【００１８】
収納本体部１２の長手方向端部の近傍には、複数の穴２０が形成されている。穴２０は、巻回した状態（「使用状態」と定義する）の収納体１０を保持するための紐１８が挿入される。
【００１９】
具体的には、収納体１０が巻回しない状態（「未使用状態」と定義する）では、一の穴２０に紐１８の一端が挿入され、他の穴２０に紐１８の他端が挿入されて保持される。これにより、図８に示すように、収納体１０の未使用時において、紐１８を仮固定できるため、紐１８が不安定となって遊ばず、邪魔にならない。
【００２０】
マチ部１６は、長方形状の収納体１０の中心付近に罫線を２本形成して、当該罫線で折り曲げ加工して形成される。罫線同士の間隔は、マチ部１６の幅寸法によって変更することができる。罫線同士の間隔が広くなればマチ部１６の幅寸法が大きくなり、間隔が狭くなればマチ部１６の幅寸法が小さくなる。
【００２１】
なお、罫線を２本形成した場合にはマチ部１６に幅を持たせることができるが、対象物Ｔ（図４参照）によっては罫線を１本形成してマチ部１６を設けず、収納本体部１２とカバー部１４との間に対象物Ｔを挿入して保持してもよい。
【００２２】
また、収納本体部１２とマチ部１６とカバー部１４は、一体形成された構成ではなく、それぞれ別体のものを相互に縫い合わせて構成してもよい。
【００２３】
また、収納本体部１２とマチ部１６とカバー部１４の各寸法は、対象物Ｔの種類によって適宜変更することが可能になる。
【００２４】
カバー部１４は、収納本体部１２に対して略平行でかつ対向している。図１に示すように、カバー部１４の長手方向寸法Ｌ２は、収納本体部１２の長手方向寸法Ｌ１よりも短くなるように形成されている。換言すれば、収納体１０の未使用時において、カバー部１４の長手方向端部１４Ａは収納本体部１２の長手方向端部１２Ａよりも内側に位置しており、両者の間にはあそび領域Ｌ３が設けられている。
【００２５】
このため、収納体１０を巻回したときに、カバー部１４の長手方向端部１４Ａが収納本体部１２の長手方向端部１２Ａ側に相対移動していくが、収納本体部１２の長手方向端部１２Ａよりも外側にはみ出ることはない。換言すれば、収納体１０を巻回したときのカバー部１４の長手方向端部１４Ａの収納本体部１２の長手方向端部１２Ａに対する相対移動距離は、あそび領域Ｌ３が吸収する。
【００２６】
収納本体部１２及びカバー部１４には、装飾的な観点から、所定のデザイン、模様、画像等を印刷してもよい。また、企業の広告情報を印刷してもよい。
【００２７】
なお、対象物Ｔの一例として、Ａ４サイズの用紙、パンフレット等の商業印刷物、チラシ等が該当するが、これらに限定されるものではない。
【００２８】
次に、本実施形態の収納体１０の作用について説明する。
【００２９】
図４（Ａ）に示すように、収納本体部１２とカバー部１４との間に対象物Ｔを挿入する。このとき、図４（Ｂ）に示すように、対象物Ｔの挿入側端部がマチ部１６に接触するようにセットする。
【００３０】
図５に示すように、収納体１０のマチ部１６側から収納本体部１２の長手方向端部１２Ａ側へ向かって、順に巻回していく。このとき、収納体１０の巻回半径は、対象物Ｔの厚みに応じて適宜調整することが可能である。
【００３１】
図５（Ｃ）に示すように、収納体１０を巻回しきった状態で、図６（Ａ）に示すように、紐１８の一方側端部を収納体１０の外周に巻回する。そして、図６（Ｂ）に示すように紐１８の一方側端部を巻回した紐の内部に挿入してロックする。これにより、収納体１０の巻回状態が保持される。あるいは、図６（Ｃ）に示すように、紐１８に結び目１８Ａを設けて固定してもよい。
【００３２】
図６に示すように、収納体１０を巻回した状態では、収納体１０が小型でコンパクトなサイズになる。この状態では、紐１８の締め付け圧力と収納体１０の反発力とがつり合い、保持される。このため、使用者の鞄の中に、収納体１０を収納して、持ち運ぶことができる。このように、収納体１０の携帯性が格段に向上する。
【００３３】
一方、収納体１０から対象物Ｔを取り出す場合には、以下の工程により可能になる。
【００３４】
図７（Ａ）に示すように、紐１８の結び目１８Ａをほどくことにより、収納体１０を平らな状態に戻す。このとき、収納体１０は、若干湾曲した状態になる。湾曲の程度は、収納体１０の巻回していた時間及び紐１８の締め付けの強さ等によって変動する。
【００３５】
ここで、対象物Ｔは、対象物Ｔの巻きぐせと収納体１０の反発力との関係から、ほぼ半円状態になっている。
【００３６】
このため、図７（Ｂ）に示すように、収納体１０の内部に対象物Ｔを収納したままの状態で収納体１０を上下反転させ、上側に凸となるような姿勢に変える。そして、図７（Ｃ）、（Ｄ）に示すように、収納体１０を適当な圧力を加えて巻回していく。このとき、収納体１０は、上面と下面を逆にした状態で巻回される（「逆巻回」と定義する）。
【００３７】
次に、図７（Ｅ）に示すように、収納体１０を逆巻回した後、ただちに逆巻回の状態を解消させる。これにより、収納体１０が湾曲のない平面状態に戻る。
【００３８】
その後、収納体１０の内部から対象物Ｔを取り出すと、折り目や曲げ跡がなく、平面状態が維持された対象物Ｔが得られる。この結果、対象物Ｔに折り目等をつけず、破損させることなく、対象物Ｔは収納前の元の状態に戻る。
【００３９】
なお、対象物Ｔとして、例えば、コピー用紙であれば最大２０枚程度、チラシであれば１０枚程度まで収納できる。
【００４０】
また、上記実施形態は一例を示したものであり、これに限定されるものではなく、当業者が容易に想到できる範囲あるいは設計変更程度の範囲は本考案の範囲に含まれる。
【符号の説明】
【００４１】
１０      収納体
１２      収納本体部
１４      カバー部
１６      マチ部
１８      紐
２０      穴
Ｔ        対象物
【図１】
0003196368.tif 000003
【図２】
0003196368.tif 000004
【図３】
0003196368.tif 000005
【図４】
0003196368.tif 000006
【図５】
0003196368.tif 000007
【図６】
0003196368.tif 000008
【図７】
0003196368.tif 000009
【図８】
0003196368.tif 000010